(57)【要約】  音声による情報をテキストでユーザに効率よく伝達することが可能なテキスト表示装置を提供する。音声を入力するための音声入力部１０１と、音声による情報をテキストに変換するための認識辞書が格納された記憶部１３０と、テキストを表示するための出力部１０５と、音声が入力されると、音声に対応する単語または単語列を上記認識辞書を参照して認識し、単語または単語列を含む認識結果およびその重要度を求め、重要度に対応して認識結果の表示時間を計算し、算出した表示時間以上、認識結果を出力部に表示させる制御部１２０とを有する構成である。
2007111162.tif 000002
【特許請求の範囲】
【請求項１】
音声を入力するための音声入力部と、
音声による情報をテキストに変換するための認識辞書が格納された記憶部と、
前記テキストを表示するための出力部と、
音声が入力されると、該音声に対応する単語または単語列を前記認識辞書を参照して認識し、該単語または該単語列を含む認識結果およびその重要度を求め、該重要度に対応して該認識結果の表示時間を計算し、算出した表示時間以上、該認識結果を前記出力部に表示させる制御部と
を有することを特徴とするテキスト表示装置。
【請求項２】
前記制御部は、
入力される音声に対する認識の信頼度、前記認識辞書に記述された単語重要度、およびユーザによって指定された単語重要度のいずれか１つ、またはこれらの組み合わせにより、前記認識結果の重要度を決定することを特徴とする請求項１に記載のテキスト表示装置。
【請求項３】
前記制御部は、
前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させることを特徴とする請求項１または２に記載のテキスト表示装置。
【請求項４】
音声をテキストに変換する情報処理装置によるテキスト表示方法であって、
音声による情報をテキストに変換するための認識辞書を記憶部に格納し、
音声が入力されると、該音声に対応する単語または単語列を前記認識辞書を参照して認識し、
前記単語または前記単語列を含む認識結果およびその重要度を求め、
前記重要度に対応して前記認識結果の表示時間を計算し、
算出した表示時間以上、前記認識結果を出力部に表示させることを特徴とするテキスト表示方法。
【請求項５】
入力される音声に対する認識の信頼度、前記認識辞書に記述された単語重要度、およびユーザによって指定された単語重要度のいずれか１つ、またはこれらの組み合わせにより、前記認識結果の重要度を決定することを特徴とする請求項４に記載のテキスト表示方法。
【請求項６】
前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させることを特徴とする請求項４または５に記載のテキスト表示方法。
【請求項７】
音声をテキストに変換して表示する処理をコンピュータに実行させるためのプログラムであって、
音声による情報をテキストに変換するための認識辞書を記憶部に格納するステップと、
音声が入力されると、該音声に対応する単語または単語列を前記認識辞書を参照して認識するステップと、
前記単語または前記単語列を含む認識結果およびその重要度を求めるステップと、
前記重要度に対応して前記認識結果の表示時間を計算するステップと、
算出した表示時間以上、前記認識結果を出力部に表示させるステップと、
を有する処理を前記コンピュータに実行させるためのプログラム。
【請求項８】
入力される音声に対する認識の信頼度、前記認識辞書に記述された単語重要度、およびユーザによって指定された単語重要度のいずれか１つ、またはこれらの組み合わせにより、前記認識結果の重要度を決定するステップを有する請求項７に記載のプログラム。
【請求項９】
前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させるステップを有する請求項７または８に記載のプログラム。
【発明の詳細な説明】
【技術分野】
【０００１】
本発明は、音声の入力に同期して、そのテキストを表示するテキスト表示装置、テキスト表示方法、およびその方法をコンピュータに実行させるためのプログラムに関する。
【背景技術】
【０００２】
TV放送、TV電話、Web会議などにおいて、音声認識によるリアルタイム自動字幕表示装置が考えられている（特許文献１参照）。従来の字幕表示装置を簡単に説明する。【０００３】
図５は従来の字幕表示装置の一構成例を示すブロック図である。従来の字幕表示装置は、音声を入力するための音声入力部２０１と、音声認識のための認識辞書２０３が格納された記憶部２３０と、入力された音声を認識する音声認識手段２０２を含む制御部２２０と、テキストを表示するための出力部２０４とを有する構成である。音声入力部２０１はマイクに代表される。図５に示す従来の字幕表示装置は、話者の発声を受け付けると音声認識処理を行い、認識結果の単語あるいは単語列を、当該音声から少し遅れて表示するものが一般的である。当該認識結果が表示された後に次の発声が既に始まっている場合には、一定時間の表示の後、次の認識結果を同様に表示することになる。【０００４】
図６は入力される音声とその認識結果の具体例を示す図である。ここでは、携帯電話機を用いたWeb会議の場合とし、携帯電話機は図５に示した構成を有しているものとする。携帯電話機は、図６に示すような入力音声５０１があると、音声検出した区間毎に認識処理を行い、その認識結果として、字幕５０２ａから５０２ｄまでを順にそれぞれ一定時間表示する。図６の表示時刻に示すように、携帯電話機は、時刻ｔ1からｔ5の間に字幕５０２ａから５０２ｄのそれぞれを一定時間Ｔ0だけ表示している。このようにして、認識した単語あるいは単語列をある一定時間、または次の認識結果が得られるまでの時間だけ表示していた。【０００５】
【特許文献１】特開２００２−３４２３１１号公報
【発明の開示】
【発明が解決しようとする課題】
【０００６】
上述した従来の方法では、認識対象となる音声が連続的に行われ、認識結果を表示する場所および時間が充分でないと、ユーザが音声を聞き逃したり、字幕の認識結果を見逃したりすることがあった。この場合、音声および字幕中に重要な単語が含まれていても、その重要度と無関係に字幕が次々と切り替わってしまうため、ユーザは重要な単語を知覚できないという問題があった。特に、携帯電話機はラップトップ型やデスクトップ型のパーソナルコンピュータなどの情報処理装置の中でも、表示画面の大きさが一般的に最も小さいため、多くの字幕およびその履歴を表示しておくことは困難であり、上述の問題が起こりやすい。【０００７】
本発明は上述したような従来の技術が有する問題点を解決するためになされたものであり、音声による情報をテキストでユーザに効率よく伝達することが可能なテキスト表示装置、テキスト表示方法、およびその方法をコンピュータに実行させるためのプログラムを提供することを目的とする。
【課題を解決するための手段】
【０００８】
上記目的を達成するための本発明のテキスト表示装置は、音声を入力するための音声入力部と、音声による情報をテキストに変換するための認識辞書が格納された記憶部と、前記テキストを表示するための出力部と、音声が入力されると、該音声に対応する単語または単語列を前記認識辞書を参照して認識し、該単語または該単語列を含む認識結果およびその重要度を求め、該重要度に対応して該認識結果の表示時間を計算し、算出した表示時間以上、該認識結果を前記出力部に表示させる制御部とを有する構成である。【０００９】
また、テキスト表示装置は、前記制御部が、入力される音声に対する認識の信頼度、前記認識辞書に記述された単語重要度、およびユーザによって指定された単語重要度のいずれか１つ、またはこれらの組み合わせにより、前記認識結果の重要度を決定するものであってもよい。【００１０】
また、テキスト表示装置は、前記制御部が、前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させるものであってもよい。【００１１】
本発明では、入力された音声の情報が認識されると、認識結果がその重要度に対応して算出された時間以上、出力部に表示される。そのため、重要度の高い認識結果が長く表示されるようにすれば、重要な情報がユーザにより伝達しやすくなる。【００１２】
上記目的を達成するための本発明のテキスト表示方法は、音声をテキストに変換する情報処理装置によるテキスト表示方法であって、音声による情報をテキストに変換するための認識辞書を記憶部に格納し、音声が入力されると、該音声に対応する単語または単語列を前記認識辞書を参照して認識し、前記単語または前記単語列を含む認識結果およびその重要度を求め、前記重要度に対応して前記認識結果の表示時間を計算し、算出した表示時間以上、前記認識結果を出力部に表示させるものである。【００１３】
また、テキスト表示方法は、入力される音声に対する認識の信頼度、前記認識辞書に記述された単語重要度、およびユーザによって指定された単語重要度のいずれか１つ、またはこれらの組み合わせにより、前記認識結果の重要度を決定するものであってもよい。【００１４】
また、テキスト表示方法は、前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させるものであってもよい。【００１５】
上記目的を達成するための本発明のプログラムは、音声をテキストに変換して表示する処理をコンピュータに実行させるためのプログラムであって、音声による情報をテキストに変換するための認識辞書を記憶部に格納するステップと、音声が入力されると、該音声に対応する単語または単語列を前記認識辞書を参照して認識するステップと、前記単語または前記単語列を含む認識結果およびその重要度を求めるステップと、前記重要度に対応して前記認識結果の表示時間を計算するステップと、算出した表示時間以上、前記認識結果を出力部に表示させるステップと、を有する処理を前記コンピュータに実行させるものである。【００１６】
また、プログラムは、入力される音声に対する認識の信頼度、前記認識辞書に記述された単語重要度、およびユーザによって指定された単語重要度のいずれか１つ、またはこれらの組み合わせにより、前記認識結果の重要度を決定するステップを有するものであってもよい。【００１７】
また、プログラムは、前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させるステップを有するものであってもよい。
【発明の効果】
【００１８】
本発明によれば、重要度の高い認識結果を優先して長い時間表示することで、表示画面が切り替わっても重要な認識結果が履歴として出力部に残る。したがって、認識結果を表示する場所および時間が充分でなくても、ユーザに効率よく情報を伝達できる。
【図面の簡単な説明】
【００１９】
【図１】本実施形態のテキスト表示装置の一構成例を示すブロック図である。
【図２】本実施形態のテキスト表示装置の動作手順を示すフローチャートである。
【図３】本実施例の認識辞書の記述例を示す図である。
【図４】本実施例の入力音声と認識結果の一例を示す図である。
【図５】従来のテキスト表示装置の一構成例を示すブロック図である。
【図６】従来の場合の入力音声と認識結果の具体例を示す図である。
【符号の説明】
【００２０】
１０１    音声入力部
１０２    音声認識手段
１０３    認識辞書
１０４    表示時間計算手段
１０５    出力部
１２０    制御部
１３０    記憶部
【発明を実施するための最良の形態】
【００２１】
本発明のテキスト表示装置は、入力音声から認識した認識結果およびその重要度を求め、その重要度に対応して表示時間を算出し、算出した表示時間以上、認識結果を表示することを特徴とする。【００２２】
次に、本実施形態のテキスト表示装置について図面を参照して詳細に説明する。【００２３】
図１は本実施形態のテキスト表示装置の一構成例を示すブロック図である。本実施形態のテキスト表示装置は、音声を入力するための音声入力部１０１と、認識辞書１０３が格納された記憶部１３０と、入力された音声を認識辞書１０３を用いて認識し、認識結果の単語または単語列およびその重要度を出力する音声認識手段２０２および重要度から表示時間を計算する表示時間計算手段２０４を含む制御部１２０と、認識結果を表示するための出力部１０５とを有する。制御部１２０は、重要度に応じて表示時間計算手段２０４により計算された表示時間、認識結果を出力部１０５に表示させる。【００２４】
制御部１２０は、プログラムにしたがって所定の処理を実行するＣＰＵ（Central Processing Unit）とプログラムを格納するためのメモリとを有する。音声認識手段１０２および表示時間計算手段１０４はＣＰＵがプログラムを実行することで制御部１２０内に仮想的に構成される。【００２５】
次に、本実施形態のテキスト表示装置の動作を説明する。図２はテキスト表示装置の動作手順を示すフローチャートである。【００２６】
図２に示すように、音声入力手段１０１を介して音声が入力され（ステップ３０１）、音声認識手段１０２が、音声入力手段１０１から音声のデータを受け取ると、記憶部１３０に格納された認識辞書１０３を参照して音声を認識する（ステップ３０２）。続いて、単語または単語列を含む認識結果を出力するとともに、その重要度を求める。そして、認識結果およびその重要度を表示時間計算手段１０４に出力する。表示時間計算手段１０４は、認識結果およびその重要度の情報を音声認識手段１０２から受け取ると、その重要度に対応して認識結果の表示時間を計算する（ステップ３０３）。その後、制御部１２０は、その重要度に応じて算出された表示時間、認識結果を出力部１０５に表示させる（ステップ３０４）。【００２７】
［実施例１］
本実施例のテキスト表示装置の構成を説明する。本実施例のテキスト表示装置の認識辞書１０３には、登録された各単語に対応して重要度の情報が記述されている。図３は認識辞書の記述例を示す図である。図３に示すように、認識辞書１０３には、単語「RSS」の重要度が「３．０」であり、単語「サイト」の重要度が「１．５」であり、単語「バージョン」の重要度が「０．９」であることが記述されている。【００２８】
音声認識手段１０２は、認識辞書１０３を参照して単語または単語列を特定すると、その重要度を認識辞書１０３から読み出し、特定した単語または単語列を含む認識結果とその重要度の情報を表示時間計算手段１０４に渡す。【００２９】
表示時間計算手段１０４が計算する、単語wの表示時間Tを求める計算式の一例として、以下のものがある。
T = Cw × p ・・・式（１）
Cwは単語wの単語重要度を示す値である。pは係数である。ｐの一例として、システムの表示領域依存の定数がある。表示領域依存の定数とは、画面表示サイズの制約で決まる値であり、画面表示サイズが小さいほど認識結果を表示する場所と時間に余裕がなくなるため、その値が小さくなる。表示時間計算手段１０４は、音声認識手段１０２から単語wを含む認識結果と重要度の情報を受け取ると、上記（１）式を計算し、認識結果の表示時間Tを算出する。【００３０】
表示時間計算手段１０４が認識結果の表示時間を算出すると、制御部１２０は、重要度の高い認識結果を強調表示するために、重要度の高い認識結果に対して下線が引かれた状態で出力部１０５に表示させる。本実施例では、その認識結果の表示時間が第１の閾値以上であると、出力部１０５に強調表示させるものとする。第１の閾値は、強調表示するか否かの判定基準の時間となる。【００３１】
反対に、制御部１２０は、認識結果の表示時間が第２の閾値に達していないと、重要度の低いものとして出力部１０５に表示させないものとする。第２の閾値は、表示するか否かの判定基準となる時間となる。第１の閾値および第２の閾値は予め記憶部１３０に格納されている。【００３２】
次に、本実施例において、音声入力からテキスト表示までの動作を説明する。図４は本実施例における、入力音声と認識結果の一例を示す図である。ここでは、入力される音声の情報が図６で示した従来の場合と同様とする。また、上記式（１）の係数ｐを３．０とする。また、第１の閾値を３．５秒とし、第２の閾値を２．０秒とする。また、字幕の標準切換周期を３．５秒とする。【００３３】
音声認識手段１０２は、「RSSは・・・流通しており、」までの音声が入力されると、音声による単語または単語列を順に認識する。単語「RSS」を認識すると、認識辞書１０３からその重要度「３．０」を読み出し、単語「RSS」と重要度「３．０」の情報を表示時間計算手段１０４に渡す。表示時間計算手段１０４は、上記（１）式から単語「RSS」の表示時間Ｔ1を算出する。表示時間Ｔ1は、３．０×３．０＝９．０秒となる。そして、制御部１２０は、単語「RSS」の表示時間が第１の閾値よりも大きいことから、単語「RSS」が強調表示の対象になることを認識する。このようにして、制御部１２０は、「RSSは・・・流通しており、」までの情報で、強調表示するものを確定した後、字幕４０２ａを出力部１０５に表示させる。【００３４】
続いて、音声認識手段１０２は、「それぞれを・・・続いています。」までの音声を認識する。上述したようにして、認識した単語または単語列毎に重要度を求めて、表示時間計算手段１０４に渡す。そして、表示時間計算手段１０４が、各認識結果とその重要度の情報を受け取ると、単語または単語列毎に表示時間を計算する。ここで、「続いています」の重要度を０．５とすると、単語列「続いています」の表示時間は１．５秒となる。この時間は第２の閾値よりも小さい。また、上述したように、字幕４０２ａで表示した単語「RSS」は強調表示の対象になっている。【００３５】
制御部１２０は、字幕４０２ａを３．５秒表示させた後、出力部１０５に次の字幕への切換指示をする際、字幕４０２ａにおける単語「RSS」の表示時間が９秒に満たないことから、下線が引かれた状態で単語「RSS」を表示させる。また、制御部１２０は、出力部１０５に対して、単語列「続いています」を除いて次の字幕４０２ｂを表示させる。このようにして、図４に示すような字幕４０２ｂが出力部１０５に表示される。【００３６】
さらに、音声認識手段１０２が、次の「Weblogに・・・として」の音声を認識する場合も、上述したのと同様である。続いて、表示時間計算手段１０４が、音声認識手段１０２から受け取る認識結果とその重要度の情報と上記（１）式により、単語または単語列毎に表示時間を計算する。表示時間が算出された後、制御部１２０は、単語「RSS」の表示時間が字幕４０２ａ、４０２ｂの２つの字幕表示時間を合わせても７秒であり９秒に満たないことから、出力部１０５に対して字幕４０２ｃを表示させる際、単語「RSS」を強調表示させたままにしておく。このようにして、図４に示す字幕４０２ｃが出力部１０５に表示される。なお、詳細な説明を省略するが、制御部１２０は、単語「Weblog」と単語列「サイト概要フォーマット」についても、単語「RSS」の場合と同様に、強調表示の対象にする判断を行う。【００３７】
続いて、上述と同様にして、「新たに・・・提案されています」の音声が音声認識手段１０２により認識され、単語または単語列毎に表示時間が表示時間計算手段１０４により算出される。その後、制御部１２０は、単語「RSS」の表示時間が字幕４０２ａ〜４０２ｃの３つの字幕表示時間を合わせた１０．５秒あり９秒よりも長いことから、次の字幕を出力部１０５に表示させる際、単語「RSS」を表示から消去させる。一方、新たに単語「Weblog」と単語列「サイト概要フォーマット」が強調表示の対象になったことから、制御部１２０は、出力部１０５に対して単語「Weblog」および単語列「サイト概要フォーマット」を強調表示させる。その結果、図４に示すように、字幕４０２ｄが出力部１０５に表示される。【００３８】
上述のようにして、本実施例では、重要度の高低と表示制約とを考慮して認識結果の表示対象と表示時間を求め、テキストを表示する場所と時間が充分ではない表示画面に表示する認識結果を取捨選択する。そして、認識結果を全てリアルタイムに表示しきれない場合でも、強調表示の対象となる認識結果を長く表示し、重要度の低い認識結果を表示しないため、ユーザに対して効率よく情報伝達を行うことが可能となる。【００３９】
なお、本実施例では、強調表示の対象となる認識結果「RSS」を３つの字幕表示時間（合計表示時間１０．５秒）だけ表示させたが、認識結果「RSS」の表示時間が９秒になったときに、認識結果「RSS」を表示画面から消去するようにしてもよい。【００４０】
また、単語または単語列の重要度が図３に示すように予め認識辞書１０３に記述されていてもよいが、ユーザのプロファイルにより変更可能であってもよい。例えば、認識辞書１０３をはじめに登録した段階で重要度の高い単語であっても、何度も強調表示すると、ユーザもその単語の意味を理解できるようになるため、その単語の重要度を低くする。ユーザ自身が重要度の高い単語を指定したり、重要度を示す数値を記述したりしてもよい。【００４１】
また、単語の重要度の代わりに認識の信頼度を用いて、認識結果の表示時間を求めるようにしてもよい。認識の信頼度とは、音声認識手段１０２が認識辞書１０３を参照して入力音声に対する単語または単語列を特定したときの、音声データと単語または単語列との適合性を示すものである。入力される音声が明瞭でない場合や読み方の似ている単語が複数登録されている場合などは、音声認識手段１０２が入力音声と異なる単語または単語列を特定してしまう確率が高くなり、信頼度が低くなる。信頼度の低い認識結果は誤認識されている可能性があり、このような認識結果が強調表示されてしまうと、かえってユーザは混乱してしまうおそれがあるからである。【００４２】
また、図３に示したような認識辞書１０３に予め記述されている数値と、認識の信頼度との組み合わせによって、単語または単語列の重要度を求めるようにしてもよい。この場合には、予め認識辞書１０３に記述されている数値が高くても、認識結果の信頼度が低ければ、誤認識の可能性が高くなり、表示しないことになる。信頼度の低い誤認識結果を表示しないことで、情報伝達の誤りを低減できる。その結果、ユーザへの情報伝達の精度が向上する。【００４３】
さらに、予め認識辞書１０３に登録された重要度、ユーザによる指定、および認識の信頼度のうちいずれか、または、これらの組み合わせにより、単語または単語列の重要度を求めるようにしてもよい。【００４４】
強調表示の方法については、図４に示した例では、認識結果「RSS」および「Weblog」など、重要度が高く、表示時間が長いと判定された単語に下線を引いて強調表示をしたが、この方法に限られない。強調表示の方法は、その他にも、対象となるテキストのフォントまたは大きさまたは色を変えてもよいし、対象となるテキストを反転表示してもよい。また、これらの方法の組み合わせでもよい。これにより、ユーザは、重要度が高く表示時間が長い単語を、それ以外の単語と容易に区別することが可能となる。【００４５】
本発明のテキスト表示装置は、入力された音声の情報を認識すると、認識結果をその重要度に対応して算出された時間以上、出力部に表示させる。重要度の高い認識結果を優先して長い時間表示することで、表示画面が切り替わっても重要な認識結果が履歴として出力部に残る。したがって、認識結果を表示する場所および時間が充分でなくても、ユーザに効率よく情報を伝達できる。【００４６】
本発明のテキスト表示装置を、TV放送、TV電話およびWEB会議などでの字幕表示といった用途に適用できる。また、本発明のテキスト表示方法をコンピュータに実行させるためのプログラムに適用してもよい。
【図１】
2007111162.tif 000003
【図２】
2007111162.tif 000004
【図３】
2007111162.tif 000005
【図４】
2007111162.tif 000006
【図５】
2007111162.tif 000007
【図６】
2007111162.tif 000008
【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
音声を入力するための音声入力部と、
音声による情報をテキストに変換するための認識辞書が格納された記憶部と、
前記テキストを表示するための出力部と、
音声が入力されると、該音声に対応する単語または単語列を前記認識辞書を参照して認識し、該単語または該単語列を含む認識結果を求め、該認識結果の単語または単語列の認識の信頼度に基づいて重要度を算出し、該重要度に対応して該認識結果の表示時間を計算し、計算した表示時間以上、該認識結果を前記出力部に表示させる制御部と
を有することを特徴とするテキスト表示装置。
【請求項２】
前記制御部は、
前記信頼度と、前記認識辞書に記述された単語重要度、およびユーザによって指定された単語重要度の少なくとも１つ以上とに基づいて、前記認識結果の重要度を決定することを特徴とする請求項１に記載のテキスト表示装置。
【請求項３】
前記制御部は、
前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させることを特徴とする請求項１または２に記載のテキスト表示装置。
【請求項４】
音声をテキストに変換する情報処理装置によるテキスト表示方法であって、
音声による情報をテキストに変換するための認識辞書を記憶部に格納し、
音声が入力されると、該音声に対応する単語または単語列を前記認識辞書を参照して認識し、
前記単語または前記単語列を含む認識結果を求め、
前記認識結果の単語または単語列の認識の信頼度に基づいて重要度を算出し、
前記重要度に対応して前記認識結果の表示時間を計算し、
計算した表示時間以上、前記認識結果を出力部に表示させることを特徴とするテキスト表示方法。
【請求項５】
前記信頼度と、前記認識辞書に記述された単語重要度、およびユーザによって指定された単語重要度の少なくとも１つ以上とに基づいて、前記認識結果の重要度を決定することを特徴とする請求項４に記載のテキスト表示方法。
【請求項６】
前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させることを特徴とする請求項４または５に記載のテキスト表示方法。
【請求項７】
音声をテキストに変換して表示する処理をコンピュータに実行させるためのプログラムであって、
音声による情報をテキストに変換するための認識辞書を記憶部に格納するステップと、
音声が入力されると、該音声に対応する単語または単語列を前記認識辞書を参照して認識するステップと、
前記単語または前記単語列を含む認識結果を求めるステップと、
前記認識結果の単語または単語列の認識の信頼度に基づいて重要度を算出するステップと、
前記重要度に対応して前記認識結果の表示時間を計算するステップと、
計算した表示時間以上、前記認識結果を出力部に表示させるステップと、
を有する処理を前記コンピュータに実行させるためのプログラム。
【請求項８】
前記信頼度と、前記認識辞書に記述された単語重要度、およびユーザによって指定された単語重要度の少なくとも１つ以上とに基づいて、前記認識結果の重要度を決定するステップを有する請求項７に記載のプログラム。
【請求項９】
前記表示時間の計算結果から他の認識結果と比較して長い時間表示すると決定した認識結果に対して、下線を引くこと、反転表示すること、またはフォントもしくは大きさもしくは色を変えることのうちいずれか１つ、またはこれらの組み合わせにより強調して前記出力部に表示させるステップを有する請求項７または８に記載のプログラム。
【国際調査報告】
2007111162.tif 000009
2007111162.tif 000010